(57)【要約】【課題】複数の記録層を有し、片面側からのレーザ光の照射により記録が行なわれる光記録媒体において、最適な記録パワーで各記録層に安定して記録を行なえるようにする。【解決手段】一面側からのレーザ光の照射により情報が記録され得る複数の記録層をそなえた光記録媒体の記録再生方法であって、他面側の記録層から該一面側の記録層へ向かって各層に記録を行ない、該他面側の記録層から該一面側の記録層へ向かって各層の再生を行なうようにする。【選択図】        図３
2004247024.tif 000002
【特許請求の範囲】
【請求項１】
一面側からのレーザ光の照射により情報が記録され得る複数の記録層をそなえた光記録媒体の記録再生方法であって、
他面側の記録層から該一面側の記録層へ向かって各層に記録を行ない、
該他面側の記録層から該一面側の記録層へ向かって各層の再生を行なう
ことを特徴とする、光記録媒体の記録再生方法。
【請求項２】
該他面側の記録層から該一面側の記録層へ向かって順次記録再生するようにレイヤ情報を有する
ことを特徴とする、請求項１記載の光記録媒体の記録再生方法。
【請求項３】
光透過性の第１の基板と、
該第１の基板上に、該第１の基板側からのレーザ光の照射によりデータが記録され得る第１の記録層と、
該第１の記録層上に、該レーザ光の照射によりデータが記録され得る第２の記録層とをそなえた光記録媒体の記録再生方法であって、
該第２の記録層へのデータの記録が完了した後、該第１の記録層へのデータの記録を行ない、
さらに、該第２の記録層のデータを再生した後、該第１の記録層のデータを再生する
ことを特徴とする、光記録媒体の記録再生方法。
【請求項４】
該第２の記録層の内周側から外周側へ向かって、且つ、該第１の記録層の外周側から内周側へ向かって記録を行なう
ことを特徴とする、請求項３記載の光記録媒体の記録再生方法。
【請求項５】
該第２の記録層の内周側から外周側へ向かって、且つ、該第１の記録層の内周側から外周側へ向かって記録を行なう
ことを特徴とする、請求項３記載の光記録媒体の記録再生方法。
【請求項６】
一面側からのレーザ光の照射により情報が記録され得る複数の記録層をそなえた光記録媒体において、
他面側の記録層から該一面側の記録層へ向かって順次記録再生するように該レイヤ情報を有する
ことを特徴とする、光記録媒体。
【請求項７】
光透過性の第１の基板と、
該第１の基板上に、該第１の基板側からのレーザ光の照射によりデータが記録され得る第１の記録層と、
該第１の記録層上に、該レーザ光の照射によりデータが記録され得る第２の記録層とをそなえ、
記録再生する順番を示すレイヤ情報を、該第２の記録層，該第１の記録層の順に有する
ことを特徴とする、光記録媒体。
【発明の詳細な説明】
【０００１】
【発明の属する技術分野】
本発明は、複数の記録層を有し、片面側からのレーザ光の照射により記録が行なわれる光記録媒体及びその記録再生方法に関する。
【０００２】
【従来の技術】
現在、ＣＤ−Ｒ，ＣＤ−ＲＷ，ＤＶＤ−Ｒ，ＤＶＤ−ＲＷ，ＤＶＤ−ＲＯＭ等の各種光記録媒体は、大容量の情報を記憶でき、ランダムアクセスが容易であるために、コンピュータのような情報処理装置における外部記憶装置として広く認知され普及しつつある。さらに取り扱う情報量の増大により、記憶密度を高めることが望まれている。
【０００３】
種々の光記録媒体の中でもＣＤ−ＲやＤＶＤ−Ｒなど、有機色素を含む記録層（色素含有記録層ともいう）を有する光ディスクは比較的安価で、且つ、再生専用の光ディスクとの互換性を有するため、特に広く用いられている。
一例として、有機色素を含む記録層を有する光ディスクとして代表的なＣＤ−Ｒなどの媒体は、透明ディスク基板上に色素含有記録層と反射層とをこの順に有し、これらの記録層や反射層を覆う保護層を有する積層構造であり、基板を通してレーザ光にて記録・再生を行なうものである。
【０００４】
同じく代表的な片面型ＤＶＤ−Ｒは、第１の透明ディスク基板上に色素含有記録層、反射層、これらを覆う保護層をこの順に有し、さらに保護層の上に接着層を介して或いは介さずに、第２のディスク基板（透明でも不透明でもよい）上に反射層を形成したいわゆるダミーディスクを設けた積層構造であり、第１の透明ディスク基板を通してレーザ光にて記録・再生を行なうものである。ダミーディスクは透明又は不透明ディスク基板のみであっても良いし、反射層以外の層を設けていても良い。
【０００５】
なお、ＣＤ−ＲやＤＶＤ−Ｒは色素記録層の化学変化を利用した光ディスクであり、書き込みが１回だけ可能である（即ち、書き換えが不可能である）のに対し、ＣＤ−ＲＷ，ＤＶＤ−ＲＷは記録層の結晶変化を利用した相変化型の光ディスクであり、複数回の書き換えが可能になっている。また、このような相変化型の光ディスクでは、一般に記録層の上下に保護層が設けられている。
【０００６】
これら光記録媒体の記録容量を更に大容量化するための１つの手段として、１枚の媒体に記録層を複数、例えば２層（デュアルレイヤ）設けることが挙げられる。また、この場合、２つの記録層を片面から記録・再生ができるようにすることが利便性の上で望まれており、例えば図７に示すような光記録媒体（ＤＶＤ−Ｒ）が開発されている（例えば特許文献１参照）。
【０００７】
すなわち、従来の光記録媒体は図７に示すように、第一の透光性基板５上に、記録用レーザ光の照射により光学的に情報が記録し得る有機色素からなる第一の情報記録層１２と、再生用レーザ光の一部を透過し得る半透光性反射膜で構成された反射層１３と、前記記録用レーザ光及び再生用レーザ光に対して透光性を有する中間層１１と、記録用レーザ光の照射により光学的に情報が記録し得る有機色素からなる第二の情報記録層１２′と、再生用レーザ光を反射する第二の反射層１３′と、第二の透光性基板５′とがこの順に積層されて構成されている。
【０００８】
このような構成により、光記録媒体の片面側から第一の情報記録層１２及び第二の情報記録層１２′に情報を記録することが可能になり、再生時にも、いわゆるデュアルレイヤタイプの光記録媒体として片面側から信号を読み取ることが可能となっている。
【０００９】
ところで、２つの記録層を有するＤＶＤ−ＲＯＭの場合、各記録層を判別するために、再生用のレーザ光から見て手前側の記録層（第一の情報記録層）には「レイヤ０」、奥側の記録層（第二の情報記録層）には「レイヤ１」というレイヤ情報が媒体に記録されている。
【００１０】
ＤＶＤ−ＲＯＭを再生するドライブは、このレイヤ情報を読み、レイヤ０の記録層に記録されているデータを再生した後、レイヤ１の記録層に記録されたデータを再生するようになっている。
２つの記録層を有するＤＶＤ−ＲＯＭの規格（ＥＣＭＡ−２７４）では、図８（ａ）に示すように、レイヤ０の内周側から外周側へ向かってアドレスが振られ、レイヤ１にはレイヤ０のアドレスをビット反転したアドレスが振られるタイプがあり、このようなＤＶＤ−ＲＯＭは、図８（ｂ）に示すように、再生用のレーザ光によりレイヤ０の内周側から外周側へ向かってデータが再生された後、レイヤ１の外周側から内周側へ向かってデータが再生されるようになっている。
【００１１】
また、図９（ａ）に示すように、レイヤ０及びレイヤ１の内周側から外周側へ向かって同じアドレスが振られるタイプもあり、このようなＤＶＤ−ＲＯＭは、図９（ｂ）に示すように、再生用のレーザ光によりレイヤ０の内周側から外周側へ向かってデータが再生された後、レイヤ１の内周側から外周側へ向かってデータが再生されるようになっている。
【００１２】
いずれにしても、ＤＶＤ−ＲＯＭでは、レイヤ０の記録層（レーザ光から見て手前側の記録層）からレイヤ１の記録層（レーザ光から見て奥側の記録層）の順番にデータが再生されるようになっており、２つの記録層を有する片面型ＤＶＤ−Ｒにおいても、この順番にデータを記録・再生することが考えられる。
【００１３】
【特許文献１】
特開平１１−６６６２２号公報
【００１４】
【発明が解決しようとする課題】
しかしながら、上述したように片面側からのレーザ光の照射により２つの記録層にデータを記録するＤＶＤ−Ｒの場合、図７に示すように、第二の情報記録層１２′への記録は、第一の情報記録層１２，半透明反射層１３等を通して行なわなければならず、第一の情報記録層１２と第二の情報記録層１２′との間で記録・再生条件が異なってしまうおそれがある。
【００１５】
特に、レーザ光から見て手前側の記録層、即ち第一の情報記録層１２に情報が記録された状態であるか否かで、第一の情報記録層１２の複素屈折率が変化して透過光量も変化するため、レーザ光から見て奥側の記録層、即ち第二の情報記録層１２′の最適な記録パワーが大きく変化してしまう。
最適な記録パワーで各記録層に安定して記録を行なうためには、第二の情報記録層１２′にデータを記録する際のレーザ光の記録パワーを、第一の情報記録層１２の記録状態（記録がされた状態であるか否か）に応じて逐次変化させるようにすることが考えられるが、ドライブの構成が複雑になり、記録パワーの調整も煩雑になる。
【００１６】
本発明は、このような課題に鑑み創案されたもので、複数の記録層を有し、片面側からのレーザ光の照射により記録が行なわれる光記録媒体において、最適な記録パワーで各記録層に安定して記録を行なえるようにした、光記録媒体及びその記録再生方法を提供することを目的とする。
【００１７】
【課題を解決するための手段】
このため、本発明の光記録媒体の記録再生方法（請求項１）は、一面側からのレーザ光の照射により情報が記録され得る複数の記録層をそなえた光記録媒体の記録再生方法であって、他面側の記録層から該一面側の記録層へ向かって各層に記録を行ない、該他面側の記録層から該一面側の記録層へ向かって各層の再生を行なうことを特徴としている。
また、該他面側の記録層から該一面側の記録層へ向かって順次記録再生するようにレイヤ情報を有することが好ましい（請求項２）。
【００１８】
本発明の光記録媒体の記録再生方法（請求項３）は、光透過性の第１の基板と、該第１の基板上に、該第１の基板側からのレーザ光の照射によりデータが記録され得る第１の記録層と、該第１の記録層上に、該レーザ光の照射によりデータが記録され得る第２の記録層とをそなえた光記録媒体の記録再生方法であって、該第２の記録層へのデータの記録が完了した後、該第１の記録層へのデータの記録を行ない、さらに、該第２の記録層のデータを再生した後、該第１の記録層のデータを再生することを特徴としている。なお、該第１の記録層と該第２の記録層との間に、半透明反射層（第１の反射層），光透過性の中間層をそなえたり、該第２の記録層上に、反射層（第２の反射層），第２の基板をそなえたりしてもよい。
【００１９】
また、該第２の記録層の内周側から外周側へ向かって、且つ、該第１の記録層の外周側から内周側へ向かって記録を行なうことが好ましい（請求項４）。あるいは、該第２の記録層の内周側から外周側へ向かって、且つ、該第１の記録層の内周側から外周側へ向かって記録を行なうことが好ましい（請求項５）。
【００２０】
本発明の光記録媒体（請求項６）は、一面側からのレーザ光の照射により情報が記録され得る複数の記録層をそなえた光記録媒体において、他面側の記録層から該一面側の記録層へ向かって順次記録再生するように該レイヤ情報を有することを特徴としている。
【００２１】
本発明の光記録媒体（請求項７）は、光透過性の第１の基板と、該第１の基板上に、該第１の基板側からのレーザ光の照射によりデータが記録され得る第１の記録層と、該第１の記録層上に、該レーザ光の照射によりデータが記録され得る第２の記録層とをそなえ、記録再生する順番を示すレイヤ情報を、該第２の記録層，該第１の記録層の順に有すること特徴としている。なお、該第１の記録層と該第２の記録層との間に、半透明反射層（第１の反射層），光透過性の中間層をそなえたり、該第２の記録層上に、反射層（第２の反射層），第２の基板をそなえたりしてもよい。
【００２２】
【発明の実施の形態】
以下、図面により、本発明の実施の形態について説明する。
〔Ａ〕第１実施形態
〔１〕光記録媒体の積層構造
まず、本実施形態に係る、積層構造の異なる２つのタイプの光記録媒体について説明する。
【００２３】
〔１−１〕タイプ１の光記録媒体
図１は本実施形態に係る光記録媒体（タイプ１）を示す模式的な断面図である。
本実施形態に係るタイプ１の光記録媒体は、ディスク状の透明な（光透過性の）第１基板（第１の基板）１上に、色素を含む第１記録層（第１の記録層）２、半透明の反射層（以下、半透明反射層という。第１の反射層）３、中間樹脂層（中間層）４、色素を含む第２記録層（第２の記録層）５、反射層（第２の反射層）６、接着層７、第２基板（第２の基板）８をこの順に有してなる。光ビームは第１基板１側から照射され、記録・再生が行われる。本発明において、透明であるとは光記録媒体の記録・再生に用いる光ビームに対して透明であることを言う。
【００２４】
第１基板１、中間樹脂層４上にはそれぞれ凹凸が形成され、それぞれ記録トラックを構成する。記録トラックは凸部及び凹部のどちらでも良いが、一般には、第１基板１上の記録トラック１１は、光の入射方向に対して凸部で構成され、中間樹脂層４上の記録トラック１２も、光の入射方向に対して凸部で構成される場合が多い。この他に必要に応じ凹凸ピットを有することもある。特に断らない限り、本発明において凹凸は記録・再生に用いる光の入射方向に対して定義される。
【００２５】
次に、各層について説明する。
（１）第１基板１について
第１基板１は、透明であるほか複屈折率が小さいなど光学特性に優れることが望ましい。また射出成形が容易であるなど成形性に優れることが望ましい。吸湿性が小さいと反りなどを低減できるので望ましい。
【００２６】
更に、光記録媒体がある程度の剛性を有するよう、形状安定性を備えるのが望ましい。但し第２基板８が十分な形状安定性を備えていれば、第１基板１は形状安定性が大きくなくても良い。
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。或いは、ガラス等の基体上に、光硬化樹脂等の放射線硬化樹脂からなる樹脂層を設けたもの等も使用できる。
【００２７】
なお、光学特性、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
第１基板１は薄い方が好ましく、通常厚さは２ｍｍ以下が好ましく、より好ましくは１ｍｍ以下である。対物レンズと記録層の距離が小さく、また、基板が薄いほどコマ収差が小さい傾向があり、記録密度を上げやすい。但し光学特性、吸湿性、成形性、形状安定性を十分得るためにはある程度の厚みが必要であり、通常１０μｍ以上が好ましく、より好ましくは３０μｍ以上である。
【００２８】
本光記録媒体においては、第１記録層２及び第２記録層５の両方に良好に記録再生を行なうために、対物レンズと両記録層との距離を適宜調節することが望ましい。例えば、対物レンズの焦点が両記録層のほぼ中間地点となるようにすると、両記録層にアクセスしやすいので好ましい。
具体的に説明する。片面型ＤＶＤ−Ｒシステムにおいては、基板厚さ０．６ｍｍのときに対物レンズと記録層との距離が最適になるよう調節されている。
【００２９】
従って本層構成において片面型ＤＶＤ−Ｒ互換の場合は、第１基板１の厚さは、０．６ｍｍから、中間樹脂層４の膜厚の２分の１を減じた厚さであることが最も好ましい。このとき、両記録層のほぼ中間地点が約０．６ｍｍとなり、両記録層にフォーカスサーボがかけやすい。
なお、第２記録層５と半透明反射層３の間にバッファー層や保護層など他の層がある場合は、０．６ｍｍから、それらの層と中間樹脂層４の膜厚の和の２分の１を減じた厚さであることが最も好ましい。
【００３０】
第１基板１には凹凸が螺旋状又は同心円状に設けられ、溝及びランドを形成する。通常、このような溝及び／又はランドを記録トラックとして、第１記録層２に情報が記録・再生される。波長６５０ｎｍのレーザを開口数０．６から０．６５の対物レンズで集光して記録再生が行われるいわゆるＤＶＤ−Ｒディスクの場合、通常、第１記録層２は塗布形成されるので溝部で厚膜となり記録再生に適する。
【００３１】
本光記録媒体においては第１基板１の溝部、即ち光の入射方向に対して凸部を記録トラック１１とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００３２】
このような凹凸を有する基板は、コストの観点から、凹凸を持つスタンパから射出成形により製造するのが好ましい。ガラス等の基体上に光硬化樹脂等の放射線硬化樹脂からなる樹脂層を設ける場合は、樹脂層に記録トラックなどの凹凸を形成してもよい。
【００３３】
（２）第１記録層２について
第１記録層２は、通常ＣＤ−Ｒや片面型ＤＶＤ−Ｒ等に用いられる光記録媒体に用いる記録層より高感度である必要がある。本光記録媒体においては、入射した光ビームのパワーが半透明反射層３の存在等で２分され、第１記録層２の記録と第２記録層５の記録とに振り分けられるため、約半分のパワーで記録するために、特に感度が高い必要があるのである。
【００３４】
また、良好な記録再生特性を実現するためには低発熱で高屈折率な色素であることが望ましい。
更に、第１記録層２と半透明反射層３との組合せにおいて、光の反射、透過及び吸収を適切な範囲とすることが望ましい。記録感度を高くし、かつ記録時の熱干渉を小さくできる。
【００３５】
このような有機色素材料としては、大環状アザアヌレン系色素（フタロシアニン色素、ナフタロシアニン色素、ポルフィリン色素など）、ピロメテン系色素、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。
【００３６】
上述の各種有機色素の中でも含金属アゾ系色素は、記録感度に優れ、かつ耐久性，耐光性に優れるため好ましい。特に下記一般式（Ｉ）又は（ＩＩ）
【００３７】
【化１】
2004247024.tif 000003
【００３８】
（環Ａ１及びＡ２は、各々独立に置換基を有していてもよい含窒素芳香族複素環であり、環Ｂ１及びＢ２は、各々独立に置換基を有していてもよい芳香族環である。Ｘは、少なくとも２個のフッ素原子で置換されている炭素数１〜６のアルキル基である。）で表される化合物が好ましい。
【００３９】
本光記録媒体の記録層（なお、以下「記録層」という場合には、特にことわり書きのない限り、第１の記録層１と第２の記録層２とをともに指すものとする。）に使用される有機色素は、３５０〜９００ｎｍ程度の可視光〜近赤外域に最大吸収波長λｍａｘを有し、青色〜近マイクロ波レーザでの記録に適する色素化合物が好ましい。通常ＣＤ−Ｒに用いられるような波長７７０〜８３０ｎｍ程度の近赤外レーザや、ＤＶＤ−Ｒに用いられるような波長６２０〜６９０ｎｍ程度の赤色レーザ、あるいは波長４１０ｎｍや５１５ｎｍなどのいわゆるブルーレーザなどでの記録に適する色素がより好ましい。
【００４０】
色素は一種でもよいし、同じ種類のものや異なる種類のものを二種以上混合して用いても良い。さらに、上記複数の波長の記録光に対し、各々での記録に適する色素を併用して、複数の波長域でのレーザ光による記録に対応する光記録媒体とすることもできる。
【００４１】
また記録層は、記録層の安定や耐光性向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等や、記録感度向上のために金属系化合物等の記録感度向上剤を含有していても良い。ここで金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００４２】
さらに本光記録媒体の記録層には、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００４３】
記録層の膜厚は、記録方法などにより適した膜厚が異なるため、特に限定するものではないが、十分な変調度を得るためには通常５ｎｍ以上が好ましく、より好ましくは１０ｎｍ以上であり、特に好ましくは２０ｎｍ以上である。但し、本光記録媒体においては適度に光を透過させるためには厚すぎない必要があるため、通常３μｍ以下であり、好ましくは１μｍ以下、より好ましくは２００ｎｍ以下である。記録層の膜厚は通常、溝部とランド部で異なるが、本光記録媒体において記録層の膜厚は基板の溝部における膜厚を言う。
【００４４】
記録層の成膜方法としては、真空蒸着法、スパッタリング法、ドクターブレード法、キャスト法、スピンコート法、浸漬法等一般に行われている薄膜形成法が挙げられるが、量産性、コスト面からはスピンコート法が好ましい。また厚みの均一な記録層が得られるという点からは、塗布法より真空蒸着法の方が好ましい。
スピンコート法による成膜の場合、回転数は１０〜１５０００ｒｐｍが好ましく、スピンコートの後、加熱あるいは溶媒蒸気にあてる等の処理を行っても良い。
【００４５】
ドクターブレード法、キャスト法、スピンコート法、浸漬法等の塗布方法により記録層を形成する場合の塗布溶媒としては、基板を侵さない溶媒であればよく、特に限定されない。例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００４６】
真空蒸着法の場合は、例えば有機色素と、必要に応じて各種添加剤等の記録層成分を、真空容器内に設置されたるつぼに入れ、真空容器内を適当な真空ポンプで１０−２〜１０−５Ｐａ程度にまで排気した後、るつぼを加熱して記録層成分を蒸発させ、るつぼと向き合って置かれた基板上に蒸着させることにより、記録層を形成する。
【００４７】
（３）半透明反射層３について
半透明反射層３は、光の吸収が小さく、光透過率が４０％以上あり、かつ適度な光反射率がある必要がある。例えば、反射率の高い金属を薄く設けることにより適度な透過率を持たせることができる。また、ある程度の耐食性があることが望ましい。更に、半透明反射層３の上層（ここでは中間樹脂層４）の浸み出しにより第１記録層２が影響されないよう遮断性を持つことが望ましい。
【００４８】
高透過率を確保するために、半透明反射層３の厚さは通常、５０ｎｍ以下が好適である。より好適には３０ｎｍ以下である。更に好ましくは２０ｎｍ以下である。但し、第１記録層２が半透明反射層３の上層により影響されないために、ある程度の厚さが必要であり、通常３ｎｍ以上とする。より好ましくは５ｎｍ以上とする。
【００４９】
半透明反射層３の材料としては、再生光の波長で反射率が適度に高いもの、例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を単独あるいは合金にして用いることが可能である。この中でもＡｕ、Ａｌ、Ａｇは反射率が高く半透明反射層３の材料として適している。これらを主成分とする以外に他成分を含んでいても良い。
【００５０】
なかでもＡｇを主成分としているものはコストが安い点、反射率が高い点から特に好ましい。ここで主成分とは含有率が５０％以上のものをいう。
半透明反射層３は膜厚が薄く、膜の結晶粒が大きいと再生ノイズの原因となるため、結晶粒が小さい材料を用いるのが好ましい。純銀は結晶粒が大きい傾向があるためＡｇは合金として用いるのが好ましい。
【００５１】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
【００５２】
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００５３】
半透明反射層３としてはＡｕのみからなる層は結晶粒が小さく、耐食性に優れ好適である。ただし、Ａｇ合金に比べて高価である。
また、半透明反射層３としてＳｉからなる層を用いることも可能である。
金属以外の材料で低屈折率薄膜と高屈折率薄膜を交互に積み重ねて多層膜を形成し、反射層として用いることも可能である。
【００５４】
半透明反射層３を形成する方法としては、例えば、スパッタ法、イオンプレーティング法、化学蒸着法、真空蒸着法等が挙げられる。また、第１基板１と第１記録層２との間、及び／又は、第１記録層２と半透明反射層３との間に、反射率の向上、記録特性の改善、密着性の向上等のために公知の無機系または有機系の中間層、接着層を設けることもできる。
【００５５】
（４）中間樹脂層４について
中間樹脂層４は、透明である必要があるほか、凹凸により溝やピットが形成可能である必要がある。また接着力が高く、硬化接着時の収縮率が小さいと媒体の形状安定性が高く好ましい。
そして、中間樹脂層４は、第２記録層５にダメージを与えない材料からなることが望ましい。但し、中間樹脂層４は通常、樹脂からなるため第２記録層５と相溶しやすく、これを防ぎダメージを抑えるために両層の間に後述のバッファー層を設けることが望ましい。
【００５６】
さらに、中間樹脂層４は、半透明反射層３にダメージを与えない材料からなることが望ましい。但し、ダメージを抑えるために両層の間に後述のバッファー層を設けることもできる。
【００５７】
本光記録媒体において、中間樹脂層４の膜厚は正確に制御することが好ましい。中間樹脂層４の膜厚は、通常５μｍ以上が好ましい。２層の記録層に別々にフォーカスサーボをかけるためには両記録層の間にある程度の距離がある必要がある。フォーカスサーボ機構にもよるが、通常５μｍ以上、好ましくは１０μｍ以上が必要である。一般に、対物レンズの開口数が高いほどその距離は小さくてよい傾向がある。但しあまり厚いと２層の記録層にフォーカスサーボを合わせるのに時間を要し、また対物レンズの移動距離も長くなるため好ましくない。また硬化に時間を要し生産性が低下するなどの問題があるため、通常、１００μｍ以下が好ましい。
【００５８】
中間樹脂層４には凹凸が螺旋状又は同心円状に設けられ、溝及びランドを形成する。通常、このような溝及び／又はランドを記録トラックとして、第２記録層５に情報が記録・再生される。通常、第２記録層５は塗布形成されるので溝部で厚膜となり記録再生に適する。本光記録媒体においては中間樹脂層４の溝部、即ち光の入射方向に対して凸部を記録トラック１２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００５９】
このような凹凸は、コストの観点から、凹凸を持つ樹脂スタンパ等から光硬化性樹脂などの硬化性樹脂に転写、硬化させて製造するのが好ましい。以下、このような方法を２Ｐ法（Ｐｈｏｔｏ  Ｐｏｌｙｍｅｒｉｚａｔｉｏｎ法）と称することがある。
中間樹脂層４の材料としては、例えば、熱可塑性樹脂、熱硬化性樹脂、電子線硬化性樹脂、紫外線硬化性樹脂（遅延硬化型を含む）等を挙げることができる。
【００６０】
熱可塑性樹脂、熱硬化性樹脂などは適当な溶剤に溶解して塗布液を調製し、これを塗布し、乾燥（加熱）することによって形成することができる。紫外線硬化性樹脂は、そのままもしくは適当な溶剤に溶解して塗布液を調製した後にこの塗布液を塗布し、紫外光を照射して硬化させることによって形成することができる。紫外線硬化性樹脂には様々な種類があり、透明であればいずれも用いうる。またそれらの材料を単独であるいは混合して用いても良いし、１層だけではなく多層膜にして用いても良い。
【００６１】
塗布方法としては、記録層と同様にスピンコート法やキャスト法等の塗布法等の方法が用いられるが、この中でもスピンコート法が好ましい。或いは、粘度の高い樹脂はスクリーン印刷等によっても塗布形成できる。紫外線硬化性樹脂は、生産性を２０〜４０℃において液状であるものを用いると、溶媒を用いることなく塗布でき好ましい。また、粘度は２０〜１０００ｍＰａ・ｓとなるように調製するのが好ましい。
【００６２】
さて、紫外線硬化性接着剤としては、ラジカル系紫外線硬化性接着剤とカチオン系紫外線硬化性接着剤があるが、いずれも使用可能である。
ラジカル系紫外線硬化性接着剤としては、公知の全ての組成物を用いることができ、紫外線硬化性化合物と光重合開始剤を必須成分として含む組成物が用いられる。紫外線硬化性化合物としては、単官能（メタ）アクリレートや多官能（メタ）アクリレートを重合性モノマー成分として用いることができる。これらは、各々、単独または２種類以上併用して用いることができる。ここで、本発明では、アクリレートとメタアクリレートとを併せて（メタ）アクリレートと称する。
【００６３】
本光記録媒体に使用できる重合性モノマーとしては例えば以下のものが挙げられる。単官能（メタ）アクリレートとしては例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル，カプロラクトン変性テトラヒドロフルフリル、イソボルニル，ジシクロペンタニル，ジシクロペンテニル，ジシクロペンテニロキシエチル等の如き基を有する（メタ）アクリレート等が挙げられる。
【００６４】
また、多官能（メタ）アクリレートとしては例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００６５】
また、重合性モノマーと同時に併用できるものとしては、重合性オリゴマーとしてポリエステル（メタ）アクリレート、ポリエーテル（メタ）アクリレート、エポキシ（メタ）アクリレート、ウレタン（メタ）アクリレート等がある。
更に、本光記録媒体に使用する光重合開始剤は、用いる重合性オリゴマーおよび／または重合性モノマーに代表される紫外線硬化性化合物が硬化できる公知のものがいずれも使用できる。光重合開始剤としては、分子開裂型または水素引き抜き型のものが本光記録媒体に好適である。
【００６６】
このような例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４’−メチル−ジフェニルスルフィド等も併用できる。
【００６７】
また光重合開始剤に対する増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４’−ビス（ジエチルアミノ）ベンゾフェノン等の、前述重合性成分と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。
【００６８】
また、カチオン系紫外線硬化性接着剤としては公知のすべての組成物を用いることができ、カチオン重合型の光開始剤を含むエポキシ樹脂がこれに該当する。カチオン重合型の光開始剤としては、スルホニウム塩、ヨードニウム塩およびジアゾニウム塩等がある。
【００６９】
ヨードニウム塩の１例を示すと以下の通りである。ジフェニルヨードニウム  ヘキサフルオロホスフェート、ジフェニルヨードニウム  ヘキサフルオロアンチモネート、ジフェニルヨードニウム  テトラフルオロボレート、ジフェニルヨードニウム  テトラキス（ペンタフルオロフェニル）ボレート、ビス（ドデシルフェニル）ヨードニウム  ヘキサフルオロホスフェート、ビス（ドデシルフェニル）ヨードニウム  ヘキサフルオロアンチモネート、ビス（ドデシルフェニル）ヨードニウム  テトラフルオロボレート、ビス（ドデシルフェニル）ヨードニウムテトラキス（ペンタフルオロフェニル）ボレート、４−メチルフェニル−４−（１−メチルエチル）フェニルヨードニウム  ヘキサフルオロホスフェート、４−メチルフェニル−４−（１−メチルエチル）フェニルヨードニウム  ヘキサフルオロアンチモネート、４−メチルフェニル−４−（１−メチルエチル）フェニルヨードニウム  テトラフルオロボレート、４−メチルフェニル−４−（１−メチルエチル）フェニルヨードニウム  テトラキス（ペンタフルオロフェニル）ボレート、などが挙げられる。
【００７０】
エポキシ樹脂は、ビスフェノールＡ−エピクロールヒドリン型、脂環式エポキシ、長鎖脂肪族型、臭素化エポキシ樹脂、グリシジルエステル型、グリシジルエーテル型、複素環式系等種々のものがいずれであってもかまわない。
エポキシ樹脂としては、反射層にダメージを与えないよう、遊離したフリーの塩素および塩素イオン含有率が少ないものを用いるのが好ましい。塩素の量が１重量％以下が好ましく、より好ましくは０．５重量％以下である。
【００７１】
カチオン型紫外線硬化性樹脂１００重量部当たりのカチオン重合型光開始剤の割合は通常、０．１〜２０重量部であり、好ましくは０．２〜５重量部である。なお、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００７２】
また、紫外線硬化性接着剤には、必要に応じてさらにその他の添加剤として、熱重合禁止剤、ヒンダードフェノール、ヒンダードアミン、ホスファイト等に代表される酸化防止剤、可塑剤およびエポキシシラン、メルカプトシラン、（メタ）アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
【００７３】
（５）第２記録層５について
第２記録層５は、通常ＣＤ−Ｒや片面型ＤＶＤ−Ｒ等に用いられる光記録媒体に用いる記録層より高感度である必要がある。本光記録媒体においては、入射した光ビームのパワーが半透明反射層３の存在等で２分され、第１記録層２の記録と第２記録層５の記録とに振り分けられるため、約半分のパワーで記録するために、特に感度が高い必要があるのである。
【００７４】
また、良好な記録再生特性を実現するためには低発熱で高屈折率な色素であることが望ましい。
更に、第２記録層５と反射層６との組合せにおいて、光の反射及び吸収を適切な範囲とすることが望ましい。記録感度を高くし、かつ記録時の熱干渉を小さくできる。
【００７５】
第２記録層５の材料、成膜方法等についてはほぼ第１記録層２と同様に説明されるため、異なる点のみ説明する。
第２記録層５の膜厚は、記録方法などにより適した膜厚が異なるため、特に限定するものではないが、十分な変調度を得るためには通常１０ｎｍ以上が好ましく、より好ましくは３０ｎｍ以上であり、特に好ましくは５０ｎｍ以上である。但し、適度な反射率を得るためには厚すぎない必要があるため、通常３μｍ以下であり、好ましくは１μｍ以下、より好ましくは２００ｎｍ以下である。
第１記録層２と第２記録層５とに用いる材料は同じでも良いし異なっていてもよい。
【００７６】
（６）反射層６について
反射層６は、高反射率である必要がある。また、高耐久性であることが望ましい。
高反射率を確保するために、反射層６の厚さは通常、２０ｎｍ以上が好適である。より好適には３０ｎｍ以上である。更に好ましくは５０ｎｍ以上である。但し、記録感度を上げるためにはある程度薄いことが好ましく、通常４００ｎｍ以下とする。より好ましくは３００ｎｍ以下とする。
【００７７】
反射層６の材料としては、再生光の波長で反射率の十分高いもの、例えば、Ａｕ、Ａｌ、Ａｇ、Ｃｕ、Ｔｉ、Ｃｒ、Ｎｉ、Ｐｔ、Ｔａ及びＰｄの金属を単独あるいは合金にして用いることが可能である。この中でもＡｕ、Ａｌ、Ａｇは反射率が高く反射層６の材料として適している。これらを主成分とする以外に他成分として下記のものを含んでいても良い。他成分の例としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を挙げることができる。
【００７８】
中でもＡｇを主成分としているものはコストが安い点、高反射率が出やすい点、更に後で述べる印刷受容層を設ける場合には地色が白く美しいものが得られる点等から特に好ましい。ここで主成分とは含有率が５０％以上のものをいう。
反射層６は高耐久性（高耐食性）を確保するため、Ａｇは純銀よりもＡｇは合金として用いるのが好ましい。
【００７９】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
【００８０】
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００８１】
反射層６としてはＡｕのみからなる層は高耐久性（高耐食性）が高く好適である。ただし、Ａｇ合金に比べて高価である。
金属以外の材料で低屈折率薄膜と高屈折率薄膜を交互に積み重ねて多層膜を形成し、反射層６として用いることも可能である。
反射層６を形成する方法としては、例えば、スパッタ法、イオンプレーティング法、化学蒸着法、真空蒸着法等が挙げられる。また、反射層６の上下に反射率の向上、記録特性の改善、密着性の向上等のために公知の無機系または有機系の中間層、接着層を設けることもできる。
【００８２】
（７）接着層７について
接着層７は、透明である必要はないが、接着力が高く、硬化接着時の収縮率が小さいと媒体の形状安定性が高く好ましい。
また、接着層７は反射層６にダメージを与えない材料からなることが望ましい。但し、ダメージを抑えるために両層の間に公知の無機系または有機系の保護層を設けることもできる。
【００８３】
本光記録媒体において、接着層７の膜厚は、通常２μｍ以上が好ましい。所定の接着力を得るためにはある程度の膜厚が必要である。より好ましくは５μｍ以上である。但し光記録媒体をできるだけ薄くするために、また硬化に時間を要し生産性が低下するなどの問題があるため、通常、１００μｍ以下が好ましい。
接着層７の材料は、中間樹脂層４の材料と同様のものが用いうるほか、感圧式両面テープ等も使用可能である。感圧式両面テープを反射層６と第２基板８との間に挟んで押圧することにより、接着層７を形成できる。
【００８４】
（８）第２基板８について
第２基板８は、光記録媒体がある程度の剛性を有するよう、形状安定性を備えるのが望ましい。即ち機械的安定性が高く、剛性が大きいことが好ましい。また接着層７との接着性が高いことが望ましい。
上述のように第１基板１が十分な形状安定性を備えていない場合は、第２基板８は特に形状安定性が高い必要がある。この点で吸湿性が小さいことが望ましい。但し第２基板８は透明である必要はない。また第２基板８は鏡面基板で良く、凹凸を形成する必要はないので射出成形による転写性は必ずしも良い必要はない。
【００８５】
このような材料としては、第１基板１に用いうる材料と同じものが用い得るほか、例えば、Ａｌを主成分とした例えばＡｌ−Ｍｇ合金等のＡｌ合金基板や、Ｍｇを主成分とした例えばＭｇ−Ｚｎ合金等のＭｇ合金基板、シリコン、チタン、セラミックスのいずれかからなる基板やそれらを組み合わせた基板などを用いることができる。
【００８６】
なお、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
光記録媒体に十分な剛性を持たせるために、第２基板８はある程度厚いことが好ましく、厚さは０．３ｍｍ以上が好ましい。但し薄いほうが記録再生装置の薄型化に有利であり、好ましくは３ｍｍ以下である。より好ましくは１．５ｍｍ以下である。
【００８７】
第２基板８は凹凸を持たない鏡面基板で良いが、生産しやすさの観点から、射出成型により製造するのが望ましい。
第１基板１と第２基板８の好ましい組合せの一例は、第１基板１と第２基板８とが同一材料からなり、厚さも同一である。剛性が同等でバランスが取れているので、環境変化に対しても媒体として変形しにくく好ましい。この場合、環境が変化したときの変形の程度や方向も両基板で同様であると好ましい。
【００８８】
他の好ましい組合せの一例は、第１基板１が０．１ｍｍ程度と薄く、第２基板８が１．１ｍｍ程度と厚いものである。対物レンズが記録層に近づきやすく記録密度を上げやすいため好ましい。このとき第１基板１はシート状であってもよい。
【００８９】
（９）その他の層について
上記積層構造において、必要に応じて任意の他の層を挟んでも良い。或いは媒体の最外面に任意の他の層を設けても良い。具体的には、半透明反射層３と中間樹脂層４との間、中間樹脂層４と第２記録層５との間、反射層６と接着層７との間、などに中間層としてのバッファー層を設けてもよい。
【００９０】
バッファー層は２つの層の混和を防止し、相溶を防ぐものである。バッファー層が混和現象を防止する以外の他の機能を兼ねていても良い。また必要に応じてさらに他の中間層を挟んでも良い。
バッファー層の材料は、第２記録層５や中間樹脂層４と相溶せず、かつ、ある程度の光透過性をもつ必要があるが、公知の無機物及び有機物が用いうる。特性面からは、好ましくは無機物が用いられる。例えば、（１）金属又は半導体、（２）金属又は半導体の酸化物、窒化物、硫化物、酸硫化物、フッ化物又は炭化物、もしくは（３）非晶質カーボン、などが用いられる。中でも、ほぼ透明な誘電体からなる層や、ごく薄い金属層（合金を含む）が好ましい。
【００９１】
具体的には、酸化珪素、特に二酸化珪素や、酸化亜鉛、酸化セリウム、酸化イットリウム等の酸化物；硫化亜鉛、硫化イットリウムなどの硫化物；窒化珪素などの窒化物；炭化珪素；酸化物とイオウとの混合物（酸硫化物）；および後述の合金などが好適である。また、酸化珪素と硫化亜鉛との３０：７０〜９０：１０程度（重量比）の混合物も好適である。また、イオウと二酸化イットリウムと酸化亜鉛との混合物（Ｙ２Ｏ２Ｓ−ＺｎＯ）も好適である。
【００９２】
金属や合金としては、銀、又は銀を主成分とし更にチタン、亜鉛、銅、パラジウム、及び金よりなる群から選ばれる少なくとも１種の元素を０．１〜１５原子％含有するものが好適である。また、銀を主成分とし、少なくとも１種の希土類元素を０．１〜１５原子％含有するものも好適である。この希土類としては、ネオジウム、プラセオジウム、セリウム等が好適である。
【００９３】
その他、バッファー層作製時に記録層の色素を溶解しないようなものであれば樹脂層でも構わない。特に、真空蒸着やＣＶＤ法で作製可能な高分子膜が有用である。
バッファー層の厚さは２ｎｍ以上が好ましく、より好ましくは５ｎｍ以上である。バッファー層の厚さが過度に薄いと、上記の混和現象の防止が不十分となる虞がある。但し２０００ｎｍ以下が好ましく、より好ましくは５００ｎｍ以下である。バッファー層が過度に厚いと、混和防止には不必要であるばかりでなく、光の透過率を低下させる恐れもある。また無機物からなる層の場合には成膜に時間を要し生産性が低下したり、膜応力が高くなったりする虞があり２００ｎｍ以下が好ましい。特に、金属の場合は光の透過率を過度に低下させるため、２０ｎｍ以下程度が好ましい。
【００９４】
また、記録層や反射層を保護するために保護層を設けても良い。保護層の材料としては、記録層や反射層を外力から保護するものであれば特に限定されない。有機物質の材料としては、熱可塑性樹脂、熱硬化性樹脂、電子線硬化性樹脂、紫外線硬化性樹脂等を挙げることができる。また、無機物質としては、酸化ケイ素、窒化ケイ素、ＭｇＦ２、ＳｎＯ２等が挙げられる。
【００９５】
熱可塑性樹脂、熱硬化性樹脂などは適当な溶剤に溶解して塗布液を調製し、これを塗布、乾燥することによって形成することができる。紫外線硬化性樹脂は、そのままもしくは適当な溶剤に溶解して塗布液を調製した後にこの塗布液を塗布し、ＵＶ光を照射して硬化させることによって形成することができる。紫外線硬化性樹脂としては、例えば、ウレタンアクリレート、エポキシアクリレート、ポリエステルアクリレートなどのアクリレート系樹脂を用いることができる。これらの材料は単独であるいは混合して用いても良いし、１層だけではなく多層膜にして用いても良い。
【００９６】
保護層の形成方法としては、記録層と同様にスピンコート法やキャスト法等の塗布法やスパッタ法や化学蒸着法等の方法が用いられるが、この中でもスピンコート法が好ましい。
保護層の膜厚は、一般に０．１〜１００μｍの範囲であるが、本光記録媒体においては、３〜５０μｍが好ましい。
【００９７】
更に、上記光記録媒体には、必要に応じて、記録・再生光の入射面ではない面に、インクジェット、感熱転写等の各種プリンタ、或いは各種筆記具にて記入（印刷）が可能な印刷受容層を設けてもよい。
或いは、本層構成の光記録媒体を２枚、第１基板１を外側にして貼合わせて、記録層を４層有する、より大容量媒体とすることもできる。
【００９８】
〔１−２〕タイプ２の光記録媒体
図２は本実施形態に係る光記録媒体（タイプ２）を示す模式的な断面図である。
本実施形態に係るタイプ２の光記録媒体は、ディスク状の透明な（光透過性の）第１基板（第１の基板）２１上に、色素を含む第１記録層（第１の記録層）２２、半透明の反射層（以下、半透明反射層という。第１の反射層）２３、透明接着層２４、バッファー層２８、色素を含む第２記録層（第２の記録層）２５、反射層（第２の反射層）２６、ディスク状の第２基板（第２の基板）２７をこの順に有してなる。光ビームは第１基板２１側から照射され、記録・再生が行われる。第１実施形態と同様に、本実施形態においても、透明であるとは光記録媒体の記録・再生に用いる光ビームに対して透明であることを言う。
【００９９】
第１基板２１、第２基板２７上にはそれぞれ凹凸が形成され、それぞれ記録トラックを構成する。記録トラックは凸部及び凹部のどちらでも良いが、第１基板２１上の記録トラック３１は、光の入射方向に対して凸部で構成されるのが好ましく、第２基板２７上の記録トラック３２は、光の入射方向に対して凹部で構成されるのが好ましい。この他に必要に応じ凹凸ピットを有することもある。特に断らない限り、本実施形態において凹凸は記録・再生に用いる光の入射方向に対して定義される。
【０１００】
次に、各層について説明する。
本実施形態に係る第１基板２１，第１記録層２２，半透明反射層２３，第２記録層２５，反射層２６はそれぞれ、第１実施形態に係る第１基板１，第１記録層２，半透明反射層３，第２記録層５，反射層６と略同様の構成である。
また、中間層としての透明接着層２４は、凹凸により溝やピットを形成する必要がないという以外は、第１実施形態における中間樹脂層４の構成と略同様の構成である。なお、本光記録媒体では、上記の溝やピットは後述する第２基板２７に形成されている。
【０１０１】
さらに、中間層としてのバッファー層２８は、第１実施形態において説明したバッファー層と略同様の構成である。なお、このバッファー層は必要に応じて形成するようにしても良い。
第２基板２７は、光記録媒体がある程度の剛性を有するよう、形状安定性を備えるのが望ましい。即ち機械的安定性が高く、剛性が大きいことが好ましい。第１基板２１が十分な形状安定性を備えていない場合は、第２基板２７は特に形状安定性が高い必要がある。この点で吸湿性が小さいことが望ましい。
【０１０２】
第２基板２７には凹凸（記録トラック）を形成するので成形性がよいことが望ましい。また、透明である必要はないが、製造工程上、透明であると、第２記録層２５の膜厚測定がしやすいので好ましい。
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。
【０１０３】
第２基板２７には、凹凸が螺旋状又は同心円状に設けられ、溝及びランドを形成する。通常、このような溝及び／又はランドを記録トラックとして、第２記録層２５に情報が記録・再生される。通常、第２記録層２５は塗布形成されるので溝部で厚膜となり記録再生に適する。本光記録媒体においては第２基板２７の溝部、即ち光の入射方向に対して凹部を記録トラック３２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【０１０４】
このような凹凸を有する第２基板２７は、コストの観点から、凹凸を持つスタンパから樹脂を用いて射出成形により製造するのが好ましい。ガラス等の基体上に光硬化性樹脂等の放射線硬化性樹脂からなる樹脂層を設ける場合は、樹脂層に記録トラックなどの凹凸を形成してもよい。
【０１０５】
〔２〕光記録媒体の記録・再生方法
上記のようにして得られた本光記録媒体（タイプ１及びタイプ２）への記録は、記録層に直径０．５〜１μｍ程度に集束したレーザ光を第１基板側から照射することにより行なう。レーザ光の照射された部分には、レーザ光エネルギーの吸収による、分解、発熱、溶解等の記録層の熱的変形が起こり、光学特性が変化する。
【０１０６】
記録された情報の再生は、レーザ光により、光学特性の変化が起きている部分と起きていない部分の反射率の差を読み取ることにより行なう。
また、２層の記録層には以下のようにして個別に記録再生する。集束したレーザの集束位置をナイフエッジ法、非点収差法、フーコー法等で得られるフォーカスエラー信号によって、第１記録層と第２記録層とは区別できる。すなわち、レーザ光を集束する対物レンズを上下に動かすと、レーザの集束位置が第１記録層に対応する位置と第２記録層に対応する位置で、それぞれＳ字カーブが得られる。どちらのＳ字カーブをフォーカスサーボに用いるかにより、第１記録層と第２記録層のどちらを記録再生するかを選択可能である。
【０１０７】
タイプ１の光記録媒体において好ましくは、図１に示すように第１基板１及び中間樹脂層４にそれぞれ凹凸が形成されてなり、第１基板１の凸部及び中間樹脂層４の凸部を記録トラックとして記録再生を行なうものとする。通常、色素記録層は塗布形成されるので溝部で厚膜となり記録再生に適する。タイプ１の光記録媒体においては第１基板１の溝部、即ち光の入射方向に対して凸部を記録トラック１１とし、中間樹脂層４の溝部、即ち光の入射方向に対して凸部を記録トラック１２とするのが好ましい。
【０１０８】
また、タイプ２の光記録媒体において好ましくは、図２に示すように第１基板２１及び第２基板２７にそれぞれ凹凸が形成されてなり、第１基板２１の凸部及び第２基板２７の凹部を記録トラックとして記録再生を行なうものとする。なお、第１記録層２２と第２記録層２５とでは、トラッキングサーボの極性を逆にする場合がある。タイプ２の光記録媒体においては第１基板２１の溝部、即ち光の入射方向に対して凸部を記録トラック３１とし、第２基板２７の溝部、即ち光の入射方向に対して凹部を記録トラック３２とするのが好ましい。
【０１０９】
本光記録媒体（タイプ１及びタイプ２）について使用されるレーザ光は、Ｎ２、Ｈｅ−Ｃｄ、Ａｒ、Ｈｅ−Ｎｅ、ルビー、半導体、色素レーザなどが挙げられるが、軽量であること、コンパクトであること、取り扱いの容易さ等から半導体レーザが好適である。
使用されるレーザ光は、高密度記録のため波長は短いほど好ましいが、特に３５０〜５３０ｎｍのレーザ光が好ましい。かかるレーザ光の代表例としては、中心波長４０５ｎｍ、４１０ｎｍ、５１５ｎｍのレーザ光が挙げられる。
【０１１０】
波長３５０〜５３０ｎｍの範囲のレーザ光の一例は、４０５ｎｍ、４１０ｎｍの青色または５１５ｎｍの青緑色の高出力半導体レーザを使用することにより得ることができるが、その他、例えば、（ａ）基本発振波長が７４０〜９６０ｎｍの連続発振可能な半導体レーザ、または（ｂ）半導体レーザによって励起され、且つ基本発振波長が７４０〜９６０ｎｍの連続発振可能な固体レーザのいずれかを第二高調波発生素子（ＳＨＧ）により波長変換することによっても得ることができる。
【０１１１】
上記のＳＨＧとしては、反転対称性を欠くピエゾ素子であればいかなるものでもよいが、ＫＤＰ、ＡＤＰ、ＢＮＮ、ＫＮ、ＬＢＯ、化合物半導体などが好ましい。第二高調波の具体例としては、基本発振波長が８６０ｎｍの半導体レーザの場合、その倍波の４３０ｎｍ、また半導体レーザ励起の固体レーザの場合は、ＣｒドープしたＬｉＳｒＡｌＦ６結晶（基本発振波長８６０ｎｍ）からの倍波の４３０ｎｍなどが挙げられる。
【０１１２】
ところで、２つの記録層を有するＤＶＤ−ＲＯＭの規格では、レーザ光から見て手前側の記録層をレイヤ０、奥側の記録層をレイヤ１とするレイヤ情報がウォブル等により予め媒体に記録されており、また、レイヤ０の記録層からレイヤ１の記録層に連続してアドレスが振られているので、ＤＶＤ−ＲＯＭを再生するドライブは、最初にレイヤ０の記録層にアクセスしてレイヤ０の記録層のデータを再生した後、レイヤ１の記録層にアクセスしてレイヤ１の記録層のデータを再生するようになっている
したがって、２つの記録層を有する片面型ＤＶＤ−Ｒ（二層構造の追記型光記録媒体）に記録を行なう場合も、レイヤ０の記録層、レイヤ１の記録層の順に記録を行なうドライブが好ましい。しかしながら、このようなＤＶＤ−Ｒに、ＤＶＤ−ＲＯＭと同様に第１記録層をレイヤ０、第２記録層をレイヤ１とするレイヤ情報を持たせると、上記のドライブを用いた場合、第１記録層から記録が行なわれることになる。
【０１１３】
そこで、本光記録媒体には、図３（ａ）に示すように、第１記録層２，２２をレイヤ１、第２記録層５，２５をレイヤ０とするレイヤ情報を持たせ、また、第２記録層（レイヤ０）５，２５の内周側をスタートアドレスとして外周側へ向かって増加した後、第１記録層（レイヤ１）２，２２の外周側から内周側へ向かって連続して増加するようなアドレスを持たせるようにしている。
【０１１４】
なお、このようなレイヤ情報及びアドレスは、媒体に形成されるウォブルやランドプリピット（ＬＰＰ；Ｌａｎｄ  Ｐｒｅ−Ｐｉｔ）等で記録しておくことができる。ウォブルは、各記録層２，５（２２，２５）の記録トラックを所定の振幅，所定の周波数で半径方向に僅かに蛇行させておくことで情報を持たせるようにしたものであり、ＬＰＰは、記録トラック間のランドに、ある規則にしたがって孤立ピットを形成しておくことで情報を持たせるようにしたものである。
【０１１５】
したがって、データ未記録状態の本光記録媒体に、レイヤ０から記録を行なうドライブを用いてデータの記録を行なえば、図３（ｂ）に示すように、ドライブは、まず媒体のウォブルやＬＰＰの情報を読んでレイヤ０の記録層、即ち第２記録層５，２５にアクセスし、この第２記録層５，２５の内周側から外周側へアドレス順にデータを記録する。第２記録層５，２５へのデータの記録が完了したら、次にレイヤ１の記録層、即ち第１記録層２，２２にアクセスし、この第１記録層２，２２の外周側から内周側へアドレス順にデータを記録する。
【０１１６】
なお、このとき、第２記録層５，２５にはレイヤ０というレイヤ情報を含むアドレスを、第１記録層２，２２にはレイヤ１というレイヤ情報を含むアドレスを、データとともに記録しておく。
一般に、ＣＤ、ＤＶＤ系の媒体のドライブは、データ未記録の媒体にデータを記録する時は媒体のウォブルやＬＰＰ等からアドレス情報（ＡＤＩＰ；Ａｄｄｒｅｓｓ  Ｉｎ  Ｐｒｅ−Ｇｒｏｏｖｅ）を読んでアドレスを取得するが、データ記録時に、より精密且つ正確なアドレス情報をデータとともに記録するので、以後、データ再生時には、データとともに記録されたアドレス情報のみを読んでアドレスを取得することが多い。また、二層媒体では、このアドレス内にレイヤ情報が含まれている場合が多い。
【０１１７】
したがって、図３（ｃ）に示すように、本光記録媒体を、記録されているデータしか読まないＤＶＤドライブやＤＶＤプレーヤを用いて再生すれば、データとともに記録されたアドレス内のレイヤ情報を読んで、レイヤ０の記録層（第２記録層）、レイヤ１の記録層（第１記録層）の順に再生を行なうので、データ配列が変わらず、連続再生が可能である。
【０１１８】
なお、データとともに記録されるアドレス内にレイヤ情報を含ませる方法としては、例えば、レイヤ０のレイヤ情報を含ませたい場合にはアドレスの最上位ビットに０を入れ、レイヤ１のレイヤ情報を含ませたい場合にはアドレスの最上位ビットに１を入れておく方法が挙げられる。これにより、データ再生時に、アドレスの最上位ビットを読むことで、レイヤ０であるかレイヤ１であるかを判断することができる。
【０１１９】
また、他の方法としては、レイヤ１側のアドレスをビット反転して入れておく方法が考えられる。例えば、ＤＶＤ−ＲＯＭでは、第１記録層に３０００（Ｈｅｘ）〜４ＦＦＦ（Ｈｅｘ）というアドレスが振られ、第２記録層に５０００（Ｈｅｘ）〜６ＦＦＦ（Ｈｅｘ）をビット反転したＡＦＦＦ（Ｈｅｘ）〜９０００（Ｈｅｘ）というアドレスが振られるところを、本光記録媒体では、第２記録層５，２５に３０００（Ｈｅｘ）〜４ＦＦＦ（Ｈｅｘ）、第１記録層２，２２にＡＦＦＦ（Ｈｅｘ）〜９０００（Ｈｅｘ）と記録しておく。これにより、データ再生時に、アドレスがビット反転しているか否かを読むことで、レイヤ１であるか否かを判断することができる。
【０１２０】
このように、本光記録媒体の記録再生方法によれば、予め媒体に、第１記録層２，２２をレイヤ１、第２記録層５，２５をレイヤ０とするレイヤ情報を持たせるとともに第２記録層５，２５から第１記録層２，２２へ連続してアドレスを振っておき、レイヤ０の記録層（第２記録層）から記録を行なうので、未記録状態の第１記録層２，２２を通して第２記録層に記録を行なうことができ、第１記録層２，２２の複素屈折率の変化等の影響がなく、最適な記録パワーで第２記録層５，２５に安定して記録を行なうことが可能である。また、記録する際の記録データの加工を行なう必要がないため、リアルタイムでの記録が可能となり、記録再生の効率化を図ることができる。さらに、記録再生装置自体にデータ加工部を持つ必要がないため、装置の構成自体も簡素化することができる。
【０１２１】
〔Ｂ〕第２実施形態
本実施形態の光記録媒体は、第１実施形態における光記録媒体の記録・再生方法が異なる。従って、以下、本光記録媒体における記録・再生方法について説明する。
本実施形態では、図４（ａ）に示すように、光記録媒体に、第１記録層２，２２をレイヤ０、第２記録層５，２５をレイヤ１とするレイヤ情報を持たせ、また、第２記録層（レイヤ１）５，２５の内周側をスタートアドレスとして外周側へ向かって増加した後、第１記録層（レイヤ０）２，２２の外周側から内周側へ向かって連続して増加するようにアドレスを持たせるようにしている。なお、レイヤ情報及びアドレスは、媒体に形成されるウォブルやＬＰＰ等で記録しておくことができる。
【０１２２】
このように、本光記録媒体は、ＤＶＤ−ＲＯＭと比較すると、第１記録層２，２２をレイヤ０とし、第２記録層５，２５をレイヤ１とするレイヤ情報は同様であるが、アドレスの振り方が異なる。
つまり、本光記録媒体に記録を行なう場合、レイヤ０から記録を行なうドライブを用いると第１記録層２，２２から記録することになるので、本光記録媒体において第２記録層５，２５から記録を行なうためには、レイヤ情報に関わらずスタートアドレスから記録を行なうように設定されたドライブを用いる。
【０１２３】
このようなドライブを用いて本光記録媒体にデータの記録を行なえば、図４（ｂ）に示すように、ドライブは、まず媒体のウォブルやＬＰＰの情報を読んでレイヤ１の記録層、即ち第２記録層５，２５にアクセスし、この第２記録層５，２５に内周側から外周側へアドレス順にデータを記録する。第２記録層５，２５へのデータの記録が完了したら、次にレイヤ０の記録層、即ち第１記録層２，２２にアクセスし、この第１記録層２，２２に外周側から内周側へアドレス順にデータを記録する。
【０１２４】
なお、このとき、第２記録層５，２５にはレイヤ０というレイヤ情報を含むアドレスを、第１記録層２，２２にはレイヤ１というレイヤ情報を含むアドレスを、データとともに記録するようにしている。つまり、ウォブルやＬＰＰから得られるレイヤ情報とは逆のレイヤ情報を記録しておく。
したがって、図４（ｃ）に示すように、記録されているデータしか読まないＤＶＤドライブやＤＶＤプレーヤで本光記録媒体を再生すると、アドレス内のレイヤ情報を読んで、レイヤ０の記録層（第２記録層）、レイヤ１の記録層（第１記録層）の順に再生を行なうので、データ配列が変わらず、連続再生が可能である。
【０１２５】
なお、データとともに記録されるアドレス内にレイヤ情報を含ませる方法としては、例えば、レイヤ０のレイヤ情報を含ませたい場合にはアドレスの最上位ビットに０を入れ、レイヤ１のレイヤ情報を含ませたい場合にはアドレスの最上位ビットに１を入れておく方法が挙げられる。これにより、データ再生時に、アドレスの最上位ビットを読むことで、レイヤ０であるかレイヤ１であるかを判断することができる。
【０１２６】
また、他の方法としては、レイヤ１側のアドレスをビット反転して入れておく方法が考えられる。例えば、ＤＶＤ−ＲＯＭでは、第１記録層に３０００（Ｈｅｘ）〜４ＦＦＦ（Ｈｅｘ）というアドレスが振られ、第２記録層に５０００（Ｈｅｘ）〜６ＦＦＦ（Ｈｅｘ）をビット反転したＡＦＦＦ（Ｈｅｘ）〜９０００（Ｈｅｘ）というアドレスが振られるところを、本光記録媒体では、第２記録層５，２５に５０００（Ｈｅｘ）〜６ＦＦＦ（Ｈｅｘ）、第１記録層２，２２にＣＦＦＦ（Ｈｅｘ）〜Ｂ０００（Ｈｅｘ）と記録しておく。これにより、データ再生時に、アドレスがビット反転しているか否かを読むことで、レイヤ１であるか否かを判断することができる。
【０１２７】
このように、本光記録媒体の記録再生方法によれば、予め媒体に、第１記録層２，２２をレイヤ０、第２記録層５，２５をレイヤ１とするレイヤ情報を持たせるとともに第２記録層５，２５から第１記録層２，２２へ連続してアドレスを振っておき、レイヤ１（第２記録層）から記録を行なうので、未記録状態の第１記録層２，２２を通して第２記録層に記録を行なうことができ、第１記録層２，２２の複素屈折率の変化等の影響がなく、最適な記録パワーで第２記録層５，２５に安定して記録を行なうことが可能である。また、第１実施形態と同様に、記録する際の記録データの加工を行なう必要がないため、リアルタイムでの記録が可能となり、記録再生の効率化を図ることができる。さらに、記録再生装置自体にデータ加工部を持つ必要がないため、装置の構成自体も簡素化することができる。
【０１２８】
ところで、通常、ＤＶＤ−Ｒでは、出荷前にユーザエリアの特定領域に特殊な書き込み（プリライト）が行なわれている。
このようにプリライトをしておくことで、他の媒体からビットバイビットでコピーして信号を記録した場合、プリライト部分の上に記録された信号を正しく再生できなくなるので、不正コピーを防ぐこと（コピープロテクト）ができる。
【０１２９】
また、上記プリライトは一般向け媒体用の規格であるが、この規格とは別に、「ＤＶＤ−Ｒ  ｆｏｒ  Ａｕｔｈｏｒｉｎｇ」という、ＤＶＤやＤＶＤ−ＲＯＭ制作者向け媒体用の特殊な規格がある。
この「ＤＶＤ−Ｒ  ｆｏｒ  Ａｕｔｈｏｒｉｎｇ」規格の媒体では、プリライトはされていないため、制作者は、コピーして正常なＤＶＤ−ＲＯＭと同じものを制作することが可能であるが、その代わり、媒体のアドレスに特殊な工夫がされているので、通常のドライブでは記録再生が行なえないようになっており、これにより悪用を防止している。
【０１３０】
つまり、本光記録媒体では、レイヤ情報に関わらずスタートアドレスから記録を行なう特殊なドライブを用いなければ記録を行なえないので、「ＤＶＤ−Ｒ  ｆｏｒ  Ａｕｔｈｏｒｉｎｇ」のような特別な用途向けの媒体として使用できる可能性がある。
【０１３１】
〔Ｃ〕第３実施形態
本実施形態の光記録媒体は、第１実施形態における光記録媒体の記録・再生方法が異なる。従って、以下、本光記録媒体における記録・再生方法について説明する。
【０１３２】
本実施形態では、図５（ａ）に示すように、光記録媒体に、第１記録層２，２２をレイヤ１、第２記録層５，２５をレイヤ０とするレイヤ情報を持たせ、また、第２記録層（レイヤ０）５，２５の内周側をスタートアドレスとして外周側へ向かって増加した後、第１記録層（レイヤ１）２，２２の内周側から外周側へ向かって連続して増加するようにアドレスを持たせるようにしている。なお、レイヤ情報及びアドレスは、媒体に形成されるウォブルやＬＰＰ等で記録しておくことができる。
【０１３３】
したがって、データ未記録状態の本光記録媒体に、レイヤ０から記録を行なうドライブを用いてデータを記録すれば、図５（ｂ）に示すように、ドライブは、まず媒体のウォブルやＬＰＰの情報を読んでレイヤ０の記録層、即ち第２記録層５，２５にアクセスし、この第２記録層５，２５に内周側から外周側へアドレス順にデータを記録する。第２記録層５，２５へのデータの記録が完了したら、次にレイヤ１の記録層、即ち第１記録層２，２２にアクセスし、この第１記録層２，２２に内周側から外周側へアドレス順にデータを記録する。
【０１３４】
なお、このとき、第２記録層５，２５にはレイヤ０というレイヤ情報を含むアドレスを、第１記録層２，２２にはレイヤ１というレイヤ情報を含むアドレスを、データとともに記録しておく。
したがって、図５（ｃ）に示すように、記録されているデータしか読まないＤＶＤドライブやＤＶＤプレーヤで本光記録媒体を再生すると、アドレス内のレイヤ情報を読んで、レイヤ０の記録層（第２記録層）、レイヤ１の記録層（第１記録層）の順に再生を行なうので、データ配列が変わらず、連続再生が可能である。
なお、アドレス内にレイヤ情報を含ませる方法としては、第１実施形態で説明した方法を用いることができる。
【０１３５】
このように、本光記録媒体の記録再生方法によれば、予め媒体に、第１記録層２，２２をレイヤ１、第２記録層５，２５をレイヤ０とするレイヤ情報を持たせるとともに第２記録層５，２５から第１記録層２，２２へ連続してアドレスを振っておき、レイヤ０の記録層（第２記録層）から記録を行なうので、未記録状態の第１記録層２，２２を通して第２記録層に記録を行なうことができ、第１記録層２，２２の複素屈折率の変化等の影響がなく、最適な記録パワーで第２記録層５，２５に安定して記録を行なうことが可能である。また、第１実施形態と同様に、記録する際の記録データの加工を行なう必要がないため、リアルタイムでの記録が可能となり、記録再生の効率化を図ることができる。さらに、記録再生装置自体にデータ加工部を持つ必要がないため、装置の構成自体も簡素化することができる。
【０１３６】
〔Ｄ〕第４実施形態
本実施形態の光記録媒体は、第１実施形態における光記録媒体の記録・再生方法が異なる。従って、以下、本光記録媒体における記録・再生方法について説明する。
本実施形態では、図６（ａ）に示すように、光記録媒体に、第１記録層２，２２をレイヤ０、第２記録層５，２５をレイヤ１とするレイヤ情報を持たせ、また、第２記録層（レイヤ１）５，２５の内周側をスタートアドレスとして外周側へ向かって増加した後、第１記録層（レイヤ０）２，２２の内周側から外周側へ向かって連続して増加するようにアドレスを持たせるようにしている。なお、レイヤ情報及びアドレスは、媒体に形成されるウォブルやＬＰＰ等で記録しておくことができる。
【０１３７】
このように、本光記録媒体は、ＤＶＤ−ＲＯＭと比較すると、第１記録層２，２２をレイヤ０とし、第２記録層５，２５をレイヤ１とするレイヤ情報は同様であるが、アドレスの振り方が異なる。
つまり、本光記録媒体に記録を行なう場合、レイヤ０から記録を行なうドライブを用いると第１記録層２，２２から記録することになるので、本光記録媒体において第２記録層５，２５から記録を行なうためには、レイヤ情報に関わらずスタートアドレスから記録を行なうように設定されたドライブを用いる。
【０１３８】
このようなドライブを用いて本光記録媒体にデータの記録を行なえば、図６（ｂ）に示すように、ドライブは、まず媒体のウォブルやＬＰＰの情報を読んでレイヤ１の記録層、即ち第２記録層５，２５にアクセスし、この第２記録層５，２５に内周側から外周側へアドレス順にデータを記録する。第２記録層５，２５へのデータの記録が完了したら、次にレイヤ０の記録層、即ち第１記録層２，２２にアクセスし、この第１記録層２，２２に外周側から内周側へアドレス順にデータを記録する。
【０１３９】
なお、このとき、第２記録層５，２５にはレイヤ０というレイヤ情報を含むアドレスを、第１記録層２，２２にはレイヤ１というレイヤ情報を含むアドレスを、データとともに記録するようにしている。つまり、ウォブルやＬＰＰから得られるレイヤ情報とは逆のレイヤ情報を記録しておく。
したがって、図６（ｃ）に示すように、記録されているデータしか読まないＤＶＤドライブやＤＶＤプレーヤで本光記録媒体を再生すると、アドレス内のレイヤ情報を読んで、レイヤ０の記録層（第２記録層）、レイヤ１の記録層（第１記録層）の順に再生を行なうので、データ配列が変わらず、連続再生が可能である。
なお、アドレス内にレイヤ情報を含ませる方法としては、第２実施形態で説明した方法を用いることができる。
【０１４０】
このように、本光記録媒体の記録再生方法によれば、予め媒体に、第１記録層２，２２をレイヤ０、第２記録層５，２５をレイヤ１とするレイヤ情報を持たせるとともに第２記録層５，２５から第１記録層２，２２へ連続してアドレスを振っておき、レイヤ１（第２記録層）から記録を行なうので、未記録状態の第１記録層２，２２を通して第２記録層に記録を行なうことができ、第１記録層２，２２の複素屈折率の変化等の影響がなく、最適な記録パワーで第２記録層５，２５に安定して記録を行なうことが可能である。また、第１実施形態と同様に、記録する際の記録データの加工を行なう必要がないため、リアルタイムでの記録が可能となり、記録再生の効率化を図ることができる。さらに、記録再生装置自体にデータ加工部を持つ必要がないため、装置の構成自体も簡素化することができる。
【０１４１】
また、本光記録媒体では、第２実施形態と同様に、レイヤ情報に関わらずスタートアドレスから記録を行なう特殊なドライブを用いなければ記録を行なえないので、「ＤＶＤ−Ｒ  ｆｏｒ  Ａｕｔｈｏｒｉｎｇ」のような特別な用途向けの媒体として使用できる可能性がある。
【０１４２】
〔Ｅ〕その他
以上、本発明の実施形態について説明したが、本発明は上記の実施形態に限定されるものではなく、本発明の趣旨を逸脱しない範囲で種々変形して実施することができる。
【０１４３】
例えば、第１〜４実施形態では、２つの記録層を有し、片面側からのレーザ光照射により記録・再生を行なう光記録媒体について説明したが、複数の記録層を有する光記録媒体であっても良い。この場合には、各記録層の記録・再生を、レーザ光が照射される面とは反対側の面に近い記録層から、レーザ光照射面側の記録層へ向かって順番に行なうようにする。このように記録・再生を行なうことで、第１〜４実施形態と同様に、最適な記録パワーで各記録層に安定して記録を行なうことが可能である。
【０１４４】
また、第１〜４実施形態では、色素記録層を有する色素媒体について説明したが、本発明は相変化型の媒体にも適用できる。なお、図示を省略するが、相変化型媒体の場合、第１記録層は第１保護層，情報記録層，第２保護層からなり、第２記録層も同様に第１保護層，情報記録層，第２保護層からなる。
【０１４５】
この情報記録層の材質としては、レーザ光を照射することによりその光学定数（屈折率ｎ，消衰係数ｋ）が変化する材料を用いることが好ましい。このような材料としては、ＴｅやＳｅをベースとするカルコゲナイド、例えばＧｅ−Ｓｂ−Ｔｅ，Ｇｅ−Ｔｅ，Ｐｄ−Ｇｅ−Ｓｂ−Ｔｅ，Ｉｎ−Ｓｂ−Ｔｅ，Ｓｂ−Ｔｅ，Ａｇ−Ｉｎ−Ｓｂ−Ｔｅ，Ｇｅ−Ｓｂ−Ｂｉ−Ｔｅ，Ｇｅ−Ｓｂ−Ｓｅ−Ｔｅ，Ｇｅ−Ｓｎ−Ｔｅ，Ｇｅ−Ｓｎ−Ｔｅ−Ａｕ，Ｇｅ−Ｓｂ−Ｔｅ−Ｃｒ，Ｉｎ−Ｓｅ，Ｉｎ−Ｓｅ−Ｃｏ等を主成分とする合金系、あるいはこれらに窒素，酸素等を適宜添加した合金系を挙げることができる。
【０１４６】
また、第１保護層及び第２保護層の材料としては、レーザ光照射時の保護基板，情報記録層等の熱的損傷によるノイズ増加の抑制、レーザ光に対する反射率、吸収率及び反射光の位相の調整等の目的で、物理的・化学的に安定であって、情報記録層の融点よりも融点及び軟化温度が高く、情報記録層の材料と相固溶しない材料を用いることが好ましい。このような材料としては、例えば、Ｙ，Ｃｅ，Ｔｉ，Ｚｒ，Ｎｂ，Ｔａ，Ｃｏ，Ｚｎ，Ａ１，Ｓｉ，Ｇｅ，Ｓｎ，Ｐｂ，Ｓｂ，Ｂｉ，Ｔｅ等の酸化物、Ｔｉ，Ｚｒ，Ｎｂ，Ｔａ，Ｃｒ，Ｍｏ，Ｗ，Ｂ，Ａ１，Ｇａ，Ｉｎ，Ｓｉ，Ｇｅ，Ｓｎ，Ｐｂ等の窒化物、Ｔｉ，Ｚｒ，Ｎｂ，Ｔａ，Ｃｒ，Ｍｏ，Ｗ，Ｓｉ等の炭化物、Ｚｎ，Ｃｄ等の硫化物、セレン化物またはテルル化物、Ｍｇ，Ｃａ等のフッ化物、Ｃ，Ｓｉ，Ｇｅ等の単体、あるいはこれらの混合物からなる誘電体または誘電体に準ずる材料を挙げることができる。第１保護層及び第２保護層は、必要に応じてそれぞれ異なる材料を用いてもよいし、同一の材料を用いることもできる。
【０１４７】
【発明の効果】
以上詳述したように、本発明の光記録媒体及びその記録再生方法によれば、複素屈折率の変化等の影響がなく、最適な記録パワーで各記録層に安定して記録を行なうことが可能である。
【０１４８】
したがって、レーザ光照射側から順に第１記録層、第２記録層という２つの記録層を有する光記録媒体では、第２記録層に記録を行なった後第１記録層に記録を行なうので、第１記録層の複素屈折率の変化等の影響がなく、最適な記録パワーで第２記録層に安定して記録を行なうことができる。
【０１４９】
また、記録する際の記録データの加工を行なう必要がないため、リアルタイムでの記録が可能となり、記録再生の効率化を図ることができる。さらに、記録再生装置自体にデータ加工部を持つ必要がないため、装置の構成自体も簡素化することができる。
【図面の簡単な説明】
【図１】本発明の第１実施形態としての光記録媒体（タイプ１）を示す模式図である。
【図２】本発明の第１実施形態としての光記録媒体（タイプ２）を示す模式図である。
【図３】本発明の第１実施形態としての光記録媒体（タイプ１及びタイプ２）の記録再生方法を説明するためのもので、（ａ）はデータ記録前、（ｂ）はデータ記録時、（ｃ）はデータ再生時、の光記録媒体を示す模式図である。
【図４】本発明の第２実施形態としての光記録媒体（タイプ１及びタイプ２）の記録再生方法を説明するためのもので、（ａ）はデータ記録前、（ｂ）はデータ記録時、（ｃ）はデータ再生時、の光記録媒体を示す模式図である。
【図５】本発明の第３実施形態としての光記録媒体（タイプ１及びタイプ２）の記録再生方法を説明するためのもので、（ａ）はデータ記録前、（ｂ）はデータ記録時、（ｃ）はデータ再生時、の光記録媒体を示す模式図である。
【図６】本発明の第４実施形態としての光記録媒体（タイプ１及びタイプ２）の記録再生方法を説明するためのもので、（ａ）はデータ記録前、（ｂ）はデータ記録時、（ｃ）はデータ再生時、の光記録媒体を示す模式図である。
【図７】２つの記録層を有し、片面側からのレーザ光により記録・再生が行なわれる光記録媒体を示す模式図である。
【図８】（ａ）はＤＶＤ−ＲＯＭのレイヤ情報及びアドレス情報を説明するための模式図、（ｂ）はＤＶＤ−ＲＯＭの再生方法を説明するための模式図である。
【図９】（ａ）はＤＶＤ−ＲＯＭのレイヤ情報及びアドレス情報を説明するための模式図、（ｂ）はＤＶＤ−ＲＯＭの再生方法を説明するための模式図である。
【符号の説明】
１，２１  第１基板（第１の基板）
２，２２  第１記録層（第１の記録層）
３，２３  半透明反射層（第１の反射層）
４  中間樹脂層（中間層）
５，２５  第２記録層（第２の記録層）
６，２６  反射層（第２の反射層）
７  接着層
８，２７  第２基板（第２の基板）
２８  バッファー層
１１，１２，３１  凸部からなる記録トラック
２４  透明接着層（中間層）
３２  凹部からなる記録トラック
【図１】
2004247024.tif 000004
【図２】
2004247024.tif 000005
【図３】
2004247024.tif 000006
【図４】
2004247024.tif 000007
【図５】
2004247024.tif 000008
【図６】
2004247024.tif 000009
【図７】
2004247024.tif 000010
【図８】
2004247024.tif 000011
【図９】
2004247024.tif 000012